(57)【要約】【課題】操作表示シートの剥離を防止するとともに、操作表示部において表示部を自由に配置することが可能な洗濯機を提供することである。【解決手段】洗濯機１は、本体に設けられた、操作部４１と表示部４２とを有する操作表示部４０と、操作表示部４０の操作部４１と表示部４２とにそれぞれ対応する操作領域６１と表示領域６２とを有し、操作表示部４０を覆うように配置された操作表示シート６０と、操作表示部４０と操作表示シート６０との間に位置づけられ、操作表示シート６０を操作表示部４０に固着するために操作表示シート６０の裏面に貼り付けられた両面テープ５０とを備える。操作表示シート６０の周端部側に位置する表示領域６２の一部の裏面には、両面テープ５０の粘着層が配置されている。【選択図】        図５
2006334187.tif 000002
【特許請求の範囲】
【請求項１】
本体に設けられた、操作部と表示部とを有する操作表示部と、
前記操作表示部の操作部と表示部とにそれぞれ対応する操作領域と表示領域とを有し、前記操作表示部を覆うように配置された操作表示シートと、
前記操作表示部と前記操作表示シートとの間に位置づけられ、前記操作表示シートを前記操作表示部に固着するために前記操作表示シートの裏面に貼り付けられた粘着テープとを備え、
前記操作表示シートの周端部側に位置する表示領域の一部の裏面には、前記粘着テープの粘着層が配置されている、洗濯機。
【請求項２】
前記操作表示シートの裏面において、前記操作領域には前記粘着テープの粘着層が配置されず、前記操作領域を露出するように前記粘着テープの粘着層が形成されている、請求項１に記載の洗濯機。
【請求項３】
前記操作表示シートに位置するすべての表示領域の裏面には、前記粘着テープの粘着層が配置されている、請求項１または請求項２に記載の洗濯機。
【発明の詳細な説明】
【技術分野】
【０００１】
この発明は、一般的には洗濯機に関し、特定的には洗濯機の操作表示部に関するものである。
【背景技術】
【０００２】
従来から、洗濯機には、洗濯兼脱水槽や水槽を内部に配置した外箱の上部にカバー部材が設けられている。このカバー部材には、洗濯機の運転制御のためにスイッチ機構等の操作部と表示装置等の表示部とからなる操作表示部が配置されている。この操作表示部を覆うように、操作表示内容等が記載された操作表示シートがカバー部材に固着されている。この操作表示シートは、スイッチ操作の内容を明確に表示するとともに、操作表示部に水が浸入するのを防止する役割を果たす。
【０００３】
上記のような構成を備えた洗濯機は、たとえば、特開平８−１６８５８８号公報（特許文献１）、特開２００１−８７５９５号公報（特許文献２）に開示されている。
【０００４】
操作表示内容等が印刷された合成樹脂製のシートから操作表示シートが形成される場合には、両面に粘着層を有する粘着テープによって操作表示シートはカバー部材に貼り付けられている。
【特許文献１】特開平８−１６８５８８号公報
【特許文献２】特開２００１−８７５９５号公報
【発明の開示】
【発明が解決しようとする課題】
【０００５】
近年、洗濯機の外形は規定の大きさに限定されているが、洗濯兼脱水層や水槽の開口部はできるだけ大きくするように設計される。そうすると、洗濯兼脱水槽や水槽を内部に配置した外箱の上部に設けられたカバー部材の上部表面積が小さくなり、その結果、操作表示部の領域も小さくなる。
【０００６】
ところが、操作表示部の領域においてＬＥＤ等の表示部には一定の面積を確保する必要がある。このため、限られた操作表示部の領域に表示部を配置するためには、一部の表示部が操作表示部の周端部付近に位置づけられる。操作表示部を覆う操作表示シートにおいて対応する一部の表示領域も操作表示シートの周端部付近に位置づけられる。
【０００７】
両面に粘着層を有する粘着テープによって操作表示シートをカバー部材に貼り付ける場合、従来から、表示部の視認性等を考慮して、操作表示シートの表示領域の裏面には粘着テープの粘着層が配置されない。したがって、表示領域が操作表示シートの周端部付近に位置づけられることにより、操作表示部の周端部付近において操作表示シートが剥がれやすくなり、その結果、水が操作表示部に浸入するおそれがあるという問題があった。
【０００８】
一方、操作表示シートの剥離を防止するために、表示領域を操作表示シートの周端部付近からより中央部側に配置する必要がある。
【０００９】
この発明の目的は、操作表示シートの剥離を防止するとともに、操作表示部において表示部を自由に配置することが可能な洗濯機を提供することである。
【課題を解決するための手段】
【００１０】
この発明に従った洗濯機は、本体に設けられた、操作部と表示部とを有する操作表示部と、操作表示部の操作部と表示部とにそれぞれ対応する操作領域と表示領域とを有し、操作表示部を覆うように配置された操作表示シートと、操作表示部と操作表示シートとの間に位置づけられ、操作表示シートを操作表示部に固着するために操作表示シートの裏面に貼り付けられた粘着テープとを備える。操作表示シートの周端部側に位置する表示領域の一部の裏面には、粘着テープの粘着層が配置されている。
【００１１】
この発明の洗濯機においては、操作表示シートの周端部側に位置する表示領域の一部の裏面には、粘着テープの粘着層が配置されているので、操作表示シートの剥離を防止することができる。これにより、操作表示シートの防水性を高めることができる。
【００１２】
また、操作表示シートの剥離を防止するために必要な糊代を操作表示シートの周端部付近に確保することができるので、糊代の領域を考慮しないで操作表示部において表示部を自由に配置することができる。
【００１３】
この発明の洗濯機においては、操作表示シートの裏面において、操作領域には粘着テープの粘着層が配置されず、操作領域を露出するように粘着テープの粘着層が配置されているのが好ましい。このようにすることにより、粘着層が操作ボタン等に付着することがないので、操作ボタン等の動作を妨げることがない。
【００１４】
また、この発明の洗濯機においては、操作表示シートに位置するすべての表示領域の裏面には、粘着テープの粘着層が配置されているのが好ましい。この場合、粘着テープの粘着層が操作表示部における表示部の光を拡散させるため、操作表示シートに光拡散剤を塗布する必要がなくなり、製造コストを低くすることができる。
【発明の効果】
【００１５】
以上のようにこの発明によれば、洗濯機において操作表示シートの防水性を高めることができるとともに、操作表示部において表示部を自由に配置することができる。
【発明を実施するための最良の形態】
【００１６】
図１はこの発明の一つの実施の形態として、洗濯機の外観にて特に操作表示シートを分解して示す一部分解斜視図、図２は図１における洗濯機の操作表示部の構成を示す平面図である。
【００１７】
図１に示すように、洗濯機１の本体には、洗濯兼脱水槽や水槽を内部に配置した外箱１０の上部にカバー部材２０と、洗濯兼脱水槽や水槽の開口部を覆う蓋３０とが設けられている。カバー部材２０には、洗濯機１の運転制御のためにスイッチ機構等の操作部４１と、表示装置、たとえば、ＬＥＤ発光部分である表示部４２とからなる操作表示部４０が配置されている。操作表示部４０を覆うように、操作表示内容等が記載された操作表示シート（パネルシート）６０が操作表示部４０を覆うように配置され、カバー部材２０に固着されている。粘着テープとしての両面テープ５０は、操作表示部４０と操作表示シート６０との間に位置づけられ、操作表示シート６０の裏面に貼り付けられている。
【００１８】
図３は、操作表示シート６０の表面を示す図である。
【００１９】
図３に示すように、図２に示す操作表示部４０の操作部４１と表示部４２とにそれぞれ対応するように操作表示シート６０には略円形の複数個の操作領域６１と表示領域６２とが配置されている。
【００２０】
図４は従来の操作表示シート６０の裏面に貼り付けられる両面テープ５０において粘着層が配置される領域（糊付け領域）を示す図、図５は本発明の一つの実施の形態として操作表示シート６０の裏面に貼り付けられる両面テープ５０において粘着層が配置される領域（糊付け領域）を示す図、図６は本発明のもう一つの実施の形態として操作表示シート６０の裏面に貼り付けられる両面テープ５０において粘着層が配置される領域（糊付け領域）を示す図である。これらの図において粘着層が配置される領域は斜線部で示されている。
【００２１】
図４に示すように、従来は、操作表示シート６０の裏面に貼り付けられる両面テープ５０において、複数個の操作領域６１と表示領域６２のすべての領域に対応するように粘着層抜き領域５１ａ、５２ａ、５３が形成されており、粘着層が配置されていない。このため、操作表示シート６０の周端部に近い領域に配置された表示領域６１と操作表示シート６０の端縁との間の幅の狭い領域に粘着層が配置されているので、糊代を確保することが困難である。これにより、操作表示部４０の周端部付近において操作表示シート６０が剥がれやすくなり、その結果、水が操作表示部４０に浸入するおそれがあるという問題があった。
【００２２】
これに対して、図５に示すように、本発明の一つの実施の形態として、操作表示シート６０の裏面に貼り付けられる両面テープ５０において、複数個の操作領域６１のすべてと、表示領域６２の一部の領域に対応するように粘着層抜き領域５１ａ、５１ｂ、５２ｂ、５３が形成されており、粘着層が配置されていない。具体的には、粘着層抜き領域５１ａは、操作領域６１と表示領域６２を取り囲むように形成されているが、粘着層抜き領域５１ｂ、５２ｂでは、操作表示シート６０の周端部に近い領域に配置された表示領域６１には粘着層が配置されている。これにより、操作表示シート６０の剥離を防止するために必要な糊代を操作表示シート６０の周端部付近に確保することができる。その結果、操作表示シート６０の剥離を防止することができるので、操作表示シート６０の防水性を高めることができる。また、操作表示シート６０の剥離を防止するために必要な糊代を操作表示シート６０の周端部付近に確保することができるので、糊代の領域を考慮しないで操作表示部４０において表示部４２を自由に配置することができる。
【００２３】
図６に示すように、本発明のもう一つの実施の形態として、操作表示シート６０の裏面に貼り付けられる両面テープ５０において、複数個の操作領域６１のみに対応するように粘着層抜き領域５１ｃ、５２ｂ、５３が形成されており、粘着層が配置されていないが、表示領域６２に対応する領域には粘着層が配置されている。
【００２４】
このようにすることにより、粘着層が操作表示部４０における表示部４２の光を拡散させるため、操作表示シート６０に光拡散剤を塗布する必要がなくなり、製造コストを低くすることができる。
【００２５】
なお、図４〜図６において、操作表示シート６０の裏面において、操作領域６１には粘着層が配置されず、操作領域６１を露出するように粘着層が配置されており、粘着層が操作ボタン等に付着することがないので、操作ボタン等の動作を妨げることがない。
【００２６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００２７】
【図１】この発明の一つの実施の形態として、洗濯機の外観にて特に操作表示シートを分解して示す一部分解斜視図である。
【図２】図１における洗濯機の操作表示部の構成を示す平面図である。
【図３】操作表示シートの表面を示す図である。
【図４】従来の操作表示シートの裏面に貼り付けられる両面テープにおいて粘着層が配置される領域（糊付け領域）を示す図である。
【図５】本発明の一つの実施の形態として操作表示シートの裏面に貼り付けられる両面テープにおいて粘着層が配置される領域（糊付け領域）を示す図である。
【図６】本発明のもう一つの実施の形態として操作表示シートの裏面に貼り付けられる両面テープにおいて粘着層が配置される領域（糊付け領域）を示す図である。
【符号の説明】
【００２８】
１：洗濯機、１０：外箱、２０：カバー部材、４０：操作表示部、４１：操作部、４２：表示部、５０：両面テープ、６０：操作表示シート、６１：操作領域、６２：表示領域、５１ａ，５１ｂ，５１ｃ，５２ａ，５２ｂ，５３：粘着層抜き領域。
【図１】
2006334187.tif 000003
【図２】
2006334187.tif 000004
【図３】
2006334187.tif 000005
【図４】
2006334187.tif 000006
【図５】
2006334187.tif 000007
【図６】
2006334187.tif 000008